(57)【特許請求の範囲】
【請求項１】
第１の周波数のみを使用可能、あるいは前記第１の周波数と第２の周波数とを使用可能な、複数の無線通信端末と、
前記第１の周波数および前記第２の周波数を使用可能であり、前記複数の無線通信端末と無線通信を行う複数の無線通信基地局と、
前記複数の無線通信基地局と有線ネットワークで接続された管理装置と
を備えた無線通信システムであって、
前記複数の無線通信端末のそれぞれは、
通信開始時において、前記複数の無線通信基地局に対して、自身が前記第１の周波数のみを使用可能であるか、あるいは前記第１の周波数と前記第２の周波数とを使用可能であるかを示す端末無線機情報を送信し、
通信中において、前記複数の無線通信基地局から受信電力測定通知を受信した場合には、自身が通信している無線通信基地局の受信電力を測定し、測定結果を無線品質情報として返送し、
前記複数の無線通信基地局のそれぞれは、
運用開始時において、周辺基地局から測定した受信電力に基づいて、周辺に存在する無線通信基地局をリスト化した周辺基地局リスト情報を前記管理装置に送信し、
前記第１の周波数を使用して運用を開始した後において、前記第１の周波数でのトラフィックが所定の規定値以上となった場合には、前記複数の無線通信端末に対して前記受信電力測定通知を定期的に送信し、前記受信電力測定通知に対する返答として取得した前記無線品質情報をもとに作成したトラフィック低減要求情報を前記管理装置に対して送信し、
前記管理装置は、
前記複数の無線通信基地局のいずれかから前記周辺基地局リスト情報を受信した場合には、保存している周辺基地局リストを更新し、更新後の周辺基地局リストをすでに運用開始済みの他の無線通信基地局に送信し、
前記複数の無線通信基地局のいずれかから前記トラフィック低減要求情報を受信した場合には、前記トラフィック低減要求情報および前記周辺基地局リスト情報に基づいて、前記複数の無線通信基地局のいずれかに対して、前記第２の周波数を用いた無線通信を開始するための制御データを送信する
ことを特徴とする無線通信システム。
【請求項２】
請求項１に記載の無線通信システムに適用される無線通信基地局であって、
前記複数の無線通信端末と前記第１の周波数で無線通信を行う第１の無線機と、
前記複数の無線通信端末と前記第２の周波数で無線通信を行う第２の無線機と、
運用開始時において、周辺基地局から測定した受信電力に基づいて、前記第１の周波数および前記第２の周波数で通信を行っている周辺基地局をリスト化した周辺基地局リスト情報を生成する周辺基地局検出部と、
前記管理装置から受信した前記制御データに基づいて、前記第２の無線機の電源および送信電力の制御を行う制御部と、
前記複数の無線通信端末のそれぞれから受信した前記端末無線機情報および前記無線品質情報を端末毎に保持する端末情報保持部と、
無線通信のトラフィックを監視し、前記第１の周波数でのトラフィックが所定の規定値以上となった場合には、前記複数の無線通信端末に対して前記受信電力測定通知を定期的に送信することで前記無線品質情報を取得し、取得した前記無線品質情報をもとに前記トラフィック低減要求情報を生成するトラフィック監視部と、
前記有線ネットワークと接続された有線インターフェース部と、
前記周辺基地局リスト情報、前記トラフィック低減要求情報、前記端末無線機情報を、必要に応じて前記有線インターフェース部を介して前記管理装置に通知する通知データ作成部と
を備えることを特徴とする無線通信基地局。
【請求項３】
請求項２に記載の無線通信基地局において、
前記トラフィック監視部は、前記第１の周波数を用いて無線通信を行っている各無線通信端末から取得した前記端末無線機情報および前記無線品質情報と、自身が作成した前記周辺基地局リスト情報とに基づいて、
前記第２の周波数で無線通信する無線機を有する無線通信端末の周辺基地局からの、前記第１の周波数による第１の無線機での通信の干渉が所定閾値よりも大きいと判断した場合には、前記第２の周波数で通信可能な無線通信端末を知らせるための情報となる、各無線通信端末から取得した前記端末無線機情報と、前記第２の周波数で無線通信を行う前記第２の無線機を起動してもよいか否かの問合せ情報とを含むように、前記トラフィック低減要求情報を生成し、
前記第２の周波数で無線通信する無線機を有する無線通信端末の周辺基地局からの、前記第１の周波数による第１の無線機での通信の干渉が前記所定閾値以下であると判断した場合には、前記第２の周波数で無線通信を行う前記第２の無線機の起動許可を得るための通知情報を含むように、前記トラフィック低減要求情報を生成する
ことを特徴とする無線通信基地局。
【請求項４】
請求項１に記載の無線通信システムに適用される管理装置であって、
前記有線ネットワークと接続された有線インターフェース部と、
前記有線インターフェース部を介して、前記複数の無線通信基地局から受信した前記周辺基地局リスト情報および前記トラフィック低減要求情報を通知データとして保持する通知データ保存部と、
前記通知データを解析することで、前記複数の無線通信基地局の中から、前記第２の周波数を用いた無線通信を開始する無線通信基地局を特定するとともに、特定した前記無線通信基地局の送信電力を決定する通知データ解析部と、
前記通知データ解析部による解析結果に基づいて、前記第２の周波数を用いた無線通信の開始、および前記送信電力を通知するための制御データを作成し、前記有線インターフェース部を介して、前記通知データ解析部により特定された前記無線通信基地局に対して、作成した前記制御データを送信する制御データ作成部と
を備えることを特徴とする管理装置。
【請求項５】
請求項４に記載の管理装置において、
前記通知データ解析部は、受信した前記トラフィック低減要求情報として、前記第２の周波数で通信可能な無線通信端末を知らせるための情報となる、各無線通信端末から取得した前記端末無線機情報と、前記第２の周波数で無線通信を行う第２の無線機を起動してもよいか否かの問合せ情報とが含まれている場合には、
前記端末無線機情報および前記周辺基地局リスト情報に基づいて、前記第２の周波数を使用せずに前記第１の周波数のみを使用して各無線通信端末と無線通信を行っている周辺基地局の中で、前記トラフィック低減要求情報の送信元である無線通信基地局に対して最も干渉を与えている無線通信基地局を特定し、
特定した前記無線通信基地局に対して第２の周波数で通信できる端末数を問合せることで、特定した前記無線通信基地局に対応する端末無線機情報を取得し、
それぞれの無線通信基地局から取得したそれぞれの端末無線機情報に基づいて、前記第２の周波数で通信できる無線通信端末数が最も多い無線通信基地局を、前記第２の周波数を用いた無線通信を開始する無線通信基地局として特定する
ことを特徴とする管理装置。
【請求項６】
請求項１に記載の無線通信システムに適用される無線通信端末であって、
第１の周波数のみを使用可能な無線端末装置にあっては、
前記複数の無線通信基地局と前記第１の周波数で無線通信を行う第１の無線機と、
通信開始時において、前記複数の無線通信基地局に対して、自身が前記第１の周波数のみを使用可能であることを示す端末無線機情報を送信し、通信中において、前記複数の無線通信基地局から受信電力測定通知を受信した場合には、自身が通信している無線通信基地局の受信電力を測定し、測定結果を無線品質情報として返送する無線機情報通信部と
を備え、
第１の周波数および前記第２の周波数を使用可能な無線端末装置にあっては、
前記複数の無線通信基地局と前記第１の周波数で無線通信を行う第１の無線機と、
前記複数の無線通信基地局と前記第２の周波数で無線通信を行う第２の無線機と、
通信開始時において、前記複数の無線通信基地局に対して、自身が前記第１の周波数および前記第２の周波数を使用可能であることを示す端末無線機情報を送信し、通信中において、前記複数の無線通信基地局から受信電力測定通知を受信した場合には、自身が通信している無線通信基地局の受信電力を測定し、測定結果を無線品質情報として返送する無線機情報通信部と
を備える
ことを特徴とする無線通信端末。
【請求項７】
第１の周波数のみを使用可能、あるいは前記第１の周波数と第２の周波数とを使用可能な、複数の無線通信端末と、
前記第１の周波数および前記第２の周波数を使用可能であり、前記複数の無線通信端末と無線通信を行う複数の無線通信基地局と、
前記複数の無線通信基地局と有線ネットワークで接続された管理装置と
を備えた無線通信システムに適用される無線通信方法であって、
前記複数の無線通信端末のそれぞれにおいては、
通信開始時において、前記複数の無線通信基地局に対して、自身が前記第１の周波数のみを使用可能であるか、あるいは前記第１の周波数と前記第２の周波数とを使用可能であるかを示す端末無線機情報を送信するステップと、
通信中において、前記複数の無線通信基地局から受信電力測定通知を受信した場合には、自身が通信している無線通信基地局の受信電力を測定し、測定結果を無線品質情報として返送するステップと
を含み、
前記複数の無線通信基地局のそれぞれにおいては、
運用開始時において、周辺基地局から測定した受信電力に基づいて、周辺に存在する無線通信基地局をリスト化した周辺基地局リスト情報を前記管理装置に送信するステップと、
前記第１の周波数を使用して運用を開始した後において、前記第１の周波数でのトラフィックが所定の規定値以上となった場合には、前記複数の無線通信端末に対して前記受信電力測定通知を定期的に送信することで取得した前記無線品質情報をもとに作成したトラフィック低減要求情報を前記管理装置に対して送信するステップと
を含み、
前記管理装置においては、
前記複数の無線通信基地局のいずれかから前記周辺基地局リスト情報を受信した場合には、保存している周辺基地局リストを更新し、更新後の周辺基地局リストをすでに運用開始済みの他の無線通信基地局に送信するステップと、
前記複数の無線通信基地局のいずれかから前記トラフィック低減要求情報を受信した場合には、前記トラフィック低減要求情報および前記周辺基地局リスト情報に基づいて、前記複数の無線通信基地局のいずれかに対して、前記第２の周波数を用いた無線通信を開始するための制御データを送信するステップと
を含む
ことを特徴とする無線通信方法。
【発明の詳細な説明】
【技術分野】
【０００１】
本発明は、無線通信基地局の通信エリアの干渉、および複数の周波数帯の無線機を同時に運用するときの消費電力増大の問題を考慮した、無線通信システム、無線通信基地局、管理装置、無線通信端末、および無線通信方法に関する。
【背景技術】
【０００２】
IMT-Advancedでは、無線通信システムにおいて、複数の周波数帯で運用されることが検討されている。そのため、無線通信基地局は、複数の周波数で動作するために、複数の無線機を同時に運用することとなる。このように、異なる周波数で異なる通信エリアを形成する従来技術が知られている（例えば、特許文献１、２参照）。
【先行技術文献】
【特許文献】
【０００３】
【特許文献１】特開平０４-３３６８２２号公報
【特許文献２】特表２０１１-５０５０８８号公報
【発明の概要】
【発明が解決しようとする課題】
【０００４】
しかしながら、従来技術には、以下のような課題がある。
セルラー通信の無線通信基地局の特徴として、カバレッジの確保の重要性から、無線通信基地局は、常時接続を可能にしておく必要があるため、消費電力の増大が懸念される。
【０００５】
一方、IMT-Advancedでは、局所的にエリアを形成するフェムト基地局の利用が検討されている。フェムト基地局をユーザが任意の場所に設置することができる場合には、場所によって、フェムト基地局からの干渉が懸念される。
【０００６】
そのため、従来技術として、運用開始する前に周辺基地局をサーチして、適切な送信電力で運用を行うフェムト基地局が知られている。この場合には、フェムト基地局を運用する何らかのイベントが発生した際に、周辺基地局をサーチするのに時間が必要となるため、即時運用ができないといった問題があった。
【０００７】
本発明は、前記のような課題を解決するためになされたものであり、無線通信基地局の通信エリアの干渉の問題、および複数の周波数帯の無線機を同時に運用する際の消費電力増大の問題を解決することのできる無線通信システム、無線通信基地局、管理装置、無線通信端末、および無線通信方法を得ることを目的とする。
【課題を解決するための手段】
【０００８】
本発明に係る無線通信システムは、第１の周波数のみを使用可能、あるいは第１の周波数と第２の周波数とを使用可能な、複数の無線通信端末と、第１の周波数および第２の周波数を使用可能であり、複数の無線通信端末と無線通信を行う複数の無線通信基地局と、複数の無線通信基地局と有線ネットワークで接続された管理装置とを備えた無線通信システムであって、複数の無線通信端末のそれぞれは、通信開始時において、複数の無線通信基地局に対して、自身が第１の周波数のみを使用可能であるか、あるいは第１の周波数と第２の周波数とを使用可能であるかを示す端末無線機情報を送信し、通信中において、複数の無線通信基地局から受信電力測定通知を受信した場合には、自身が通信している無線通信基地局の受信電力を測定し、測定結果を無線品質情報として返送し、複数の無線通信基地局のそれぞれは、運用開始時において、周辺基地局から測定した受信電力に基づいて、周辺に存在する無線通信基地局をリスト化した周辺基地局リスト情報を管理装置に送信し、第１の周波数を使用して運用を開始した後において、第１の周波数でのトラフィックが所定の規定値以上となった場合には、複数の無線通信端末に対して受信電力測定通知を定期的に送信し、受信電力測定通知に対する返答として取得した無線品質情報をもとに作成したトラフィック低減要求情報を管理装置に対して送信し、管理装置は、複数の無線通信基地局のいずれかから周辺基地局リスト情報を受信した場合には、保存している周辺基地局リストを更新し、更新後の周辺基地局リストをすでに運用開始済みの他の無線通信基地局に送信し、複数の無線通信基地局のいずれかからトラフィック低減要求情報を受信した場合には、トラフィック低減要求情報および周辺基地局リスト情報に基づいて、複数の無線通信基地局のいずれかに対して、第２の周波数を用いた無線通信を開始するための制御データを送信するものである。
【０００９】
また、本発明に係る無線通信基地局は、複数の無線通信端末と第１の周波数で無線通信を行う第１の無線機と、複数の無線通信端末と第２の周波数で無線通信を行う第２の無線機と、運用開始時において、周辺基地局から測定した受信電力に基づいて、第１の周波数および第２の周波数で通信を行っている周辺基地局をリスト化した周辺基地局リスト情報を生成する周辺基地局検出部と、管理装置から受信した制御データに基づいて、第２の無線機の電源および送信電力の制御を行う制御部と、複数の無線通信端末のそれぞれから受信した端末無線機情報および無線品質情報を端末毎に保持する端末情報保持部と、無線通信のトラフィックを監視し、第１の周波数でのトラフィックが所定の規定値以上となった場合には、複数の無線通信端末に対して受信電力測定通知を定期的に送信することで無線品質情報を取得し、取得した無線品質情報をもとにトラフィック低減要求情報を生成するトラフィック監視部と、有線ネットワークと接続された有線インターフェース部と、周辺基地局リスト情報、トラフィック低減要求情報、端末無線機情報を、必要に応じて有線インターフェース部を介して管理装置に通知する通知データ作成部とを備えるものである。
【００１０】
また、本発明に係る管理装置は、有線ネットワークと接続された有線インターフェース部と、有線インターフェース部を介して、複数の無線通信基地局から受信した周辺基地局リスト情報およびトラフィック低減要求情報を通知データとして保持する通知データ保存部と、通知データを解析することで、複数の無線通信基地局の中から、第２の周波数を用いた無線通信を開始する無線通信基地局を特定するとともに、特定した無線通信基地局の送信電力を決定する通知データ解析部と、通知データ解析部による解析結果に基づいて、第２の周波数を用いた無線通信の開始、および送信電力を通知するための制御データを作成し、有線インターフェース部を介して、通知データ解析部により特定された無線通信基地局に対して、作成した制御データを送信する制御データ作成部とを備えるものである。
【００１１】
また、本発明に係る無線通信端末は、第１の周波数のみを使用可能な無線端末装置にあっては、複数の無線通信基地局と第１の周波数で無線通信を行う第１の無線機と、通信開始時において、複数の無線通信基地局に対して、自身が第１の周波数のみを使用可能であることを示す端末無線機情報を送信し、通信中において、複数の無線通信基地局から受信電力測定通知を受信した場合には、自身が通信している無線通信基地局の受信電力を測定し、測定結果を無線品質情報として返送する無線機情報通信部とを備え、第１の周波数および第２の周波数を使用可能な無線端末装置にあっては、複数の無線通信基地局と第１の周波数で無線通信を行う第１の無線機と、複数の無線通信基地局と第２の周波数で無線通信を行う第２の無線機と、通信開始時において、複数の無線通信基地局に対して、自身が第１の周波数および第２の周波数を使用可能であることを示す端末無線機情報を送信し、通信中において、複数の無線通信基地局から受信電力測定通知を受信した場合には、自身が通信している無線通信基地局の受信電力を測定し、測定結果を無線品質情報として返送する無線機情報通信部とを備えるものである。
【００１２】
さらに、本発明に係る無線通信方法は、第１の周波数のみを使用可能、あるいは第１の周波数と第２の周波数とを使用可能な、複数の無線通信端末と、第１の周波数および第２の周波数を使用可能であり、複数の無線通信端末と無線通信を行う複数の無線通信基地局と、複数の無線通信基地局と有線ネットワークで接続された管理装置とを備えた無線通信システムに適用される無線通信方法であって、複数の無線通信端末のそれぞれにおいては、通信開始時において、複数の無線通信基地局に対して、自身が第１の周波数のみを使用可能であるか、あるいは第１の周波数と第２の周波数とを使用可能であるかを示す端末無線機情報を送信するステップと、通信中において、複数の無線通信基地局から受信電力測定通知を受信した場合には、自身が通信している無線通信基地局の受信電力を測定し、測定結果を無線品質情報として返送するステップとを含み、複数の無線通信基地局のそれぞれにおいては、運用開始時において、周辺基地局から測定した受信電力に基づいて、周辺に存在する無線通信基地局をリスト化した周辺基地局リスト情報を管理装置に送信するステップと、第１の周波数を使用して運用を開始した後において、第１の周波数でのトラフィックが所定の規定値以上となった場合には、複数の無線通信端末に対して受信電力測定通知を定期的に送信することで取得した無線品質情報をもとに作成したトラフィック低減要求情報を管理装置に対して送信するステップとを含み、管理装置においては、複数の無線通信基地局のいずれかから周辺基地局リスト情報を受信した場合には、保存している周辺基地局リストを更新し、更新後の周辺基地局リストをすでに運用開始済みの他の無線通信基地局に送信するステップと、複数の無線通信基地局のいずれかからトラフィック低減要求情報を受信した場合には、トラフィック低減要求情報および周辺基地局リスト情報に基づいて、複数の無線通信基地局のいずれかに対して、第２の周波数を用いた無線通信を開始するための制御データを送信するステップとを含むものである。
【発明の効果】
【００１３】
本発明によれば、無線通信基地局の第１の周波数帯でのトラフィックが増加したときに、干渉状況に応じて、停止していた第２の周波数帯での無線通信を開始させることでトラフィック低減を実現できる無線通信基地局を選定して運用を開始させることにより、無線通信基地局の通信エリアの干渉の問題、および複数の周波数帯の無線機を同時に運用する際の消費電力増大の問題を解決することのできる無線通信システム、無線通信基地局、管理装置、無線通信端末、および無線通信方法を得ることができる。
【図面の簡単な説明】
【００１４】
【図１】本発明の実施の形態１における無線通信システムの全体構成図である。
【図２】本発明の実施の形態１における無線通信基地局の構成図である。
【図３】本発明の実施の形態１における無線通信端末の構成図である。
【図４】本発明の実施の形態１における管理装置の構成図である。
【図５】本発明の実施の形態１における第１のケースの通信制御動作に関する説明図である。
【図６】本発明の実施の形態１における第２のケースの通信制御動作に関する説明図である。
【図７】本発明の実施の形態１における第３のケースの通信制御動作に関する説明図である。
【図８】本発明の実施の形態１における第４のケースの通信制御動作に関する説明図である。
【図９】本発明の実施の形態１における第５のケースの通信制御動作に関する説明図である。
【発明を実施するための形態】
【００１５】
以下、本発明の無線通信システム、無線通信基地局、管理装置、無線通信端末、および無線通信方法の好適な実施の形態につき図面を用いて説明する。
【００１６】
実施の形態１．
図１は、本発明の実施の形態１における無線通信システムの全体構成図である。本実施の形態１における無線通信システムは、複数の無線通信基地局１１、１２と、複数の無線通信端末２１、２２、２３、２４と、複数の無線通信基地局１１、１２の情報の収集および制御を行う管理装置３１とを備える。
【００１７】
図２は、本発明の実施の形態１における無線通信基地局の構成図である。無線通信基地局１１は、第１の周波数で無線通信する無線機１０１、第２の周波数で無線通信する無線機１０２、無線機１０１と無線機１０２による周辺基地局を探索する周辺基地局検出部１０３、管理装置３１からの命令により無線機１０１と無線機１０２の電源を制御する電源制御部１０４、管理装置３１からの命令により送信電力を制御する送信電力制御部１０５、無線通信端末から取得した情報（端末無線機情報および無線品質情報に相当し、詳細は後述する）を端末毎に保持する端末情報保持部１０６、トラフィックを監視するトラフィック監視部１０７、管理装置３１に通知する情報（周辺基地局リスト情報に相当し、詳細は後述する）を作成する通知データ作成部１０８、および有線ネットワークと接続する有線インターフェース部１０９を備える。
【００１８】
なお、本実施の形態１において、無線通信基地局１２は、無線通信基地局１１と同様の構成とする。
【００１９】
図３は、本発明の実施の形態１における無線通信端末２１〜２４の構成図である。ここで、図３（ａ）は、無線通信端末２１、２３、２４の構成、図３（ｂ）は、無線通信端末２２の構成を、一例として示している。
【００２０】
図３（ａ）に示した無線通信端末２１（２３、２４）は、第１の周波数で無線通信する無線機２０１、第２の周波数で無線通信する無線機２０２、および無線通信基地局１１、１２との通信開始時に、自身が有する無線機の種類を端末無線機情報として通知する無線機情報通知部２０３を備える。
【００２１】
また、図３（ｂ）に示した無線通信端末２２は、第１の周波数で無線通信する無線機２０１、および無線通信基地局との通信開始時に自身が有する無線機の種類を端末無線機情報として通知する無線機情報通知部２０３を備える。
【００２２】
なお、本実施の形態１における説明では、無線通信端末２３、２４は、無線通信端末２１と同様の構成とする。すなわち、無線通信端末２１、２３、２４の３台は、第１の周波数で無線通信する無線機１０１、および第２の周波数で無線通信するための無線機１０２を両方有しているものとする。一方、無線通信端末２２は、第１の周波数で無線通信する無線機１０１のみを有しているものとする。
【００２３】
また、図４は、本発明の実施の形態１における管理装置３１の構成図である。管理装置３１は、無線通信基地局１１および無線通信基地局１２から取得する通知データ（周辺基地局リスト情報、あるいは端末無線機情報に相当し、詳細は後述する）を保持する通知データ保存部３０１、通知データを解析する通知データ解析部３０２、解析した結果から無線通信基地局１１と無線通信基地局１２の送信電力制御および電源制御を行うための制御データを作成する制御データ作成部３０３、および有線ネットワークと接続する有線インターフェース部３０４を備える。
【００２４】
次に、本実施の形態１における具体的な通信制御動作に関し、５つのケースに分けて個別に動作フローを用いて説明する。なお、以下の説明においては、先の図１の構成、すなわち、２台の無線通信基地局１１、１２、４台の無線通信端末２１〜２４、および１台の管理装置３１の構成を前提として話を進める。ただし、複数の無線通信基地局、および複数の無線通信端末の台数は、これに限定されるものではない。
【００２５】
また、必要に応じて、１台目の無線通信基地局１１の内部の構成要素は、符号１０１（１）〜１０９（１）で表し、２台目の無線通信基地局１２の内部の構成要素は、符号１０１（２）〜１０９（２）で表すこととする。同様に、１台目の無線通信端末２１〜４台目の無線通信端末２４のそれぞれの内部の構成要素については、必要に応じて、（１）〜（４）の添字により区別することとする。
【００２６】
まず始めに、第１のケースとして、無線通信基地局１２の電波を受信可能な位置において、無線通信基地局１１が運用を開始する時の動作について説明する。図５は、本発明の実施の形態１における第１のケースの通信制御動作に関する説明図である。
【００２７】
まず始めに、ステップＳ５０１において、無線通信基地局１１内の周辺基地局検出部１０３（１）は、電源がＯＮになったときに、周辺基地局（無線通信基地局１２に相当）からの受信電力を測定し、無線通信基地局１２が存在することを判断する。次に、ステップＳ５０２において、周辺基地局検出部１０３（１）は、検出した周辺基地局の情報を通知データ作成部１０８（１）に送信し、通知データ作成部１０８（１）は、周辺基地局をリスト化し、周辺基地局リスト情報を作成する。
【００２８】
次に、ステップＳ５０３において、通知データ作成部１０８（１）は、有線インターフェース部１０９（１）を介して、周辺基地局リスト情報を管理装置３１に送信する。
【００２９】
一方、管理装置３１は、ステップＳ５０４において、無線通信基地局１１からの周辺基地局リスト情報を通知データとして受信し、通知データ保存部３０１に保存する。さらに、通知データ解析部３０２は、通知データの中に、すでに周辺基地局リスト情報を受け取っている他の無線通信基地局１２が含まれていることを検知し、無線通信基地局１２の周辺基地局リスト情報に無線通信基地局１１を追加することで、周辺基地局リスト情報を更新する。
【００３０】
次に、ステップＳ５０５において、管理装置３１は、更新した周辺基地局リスト情報を、他の無線通信基地局（無線通信基地局１２に相当）に送信する。一方、ステップＳ５０６において、無線通信基地局１１は、無線機１０１（１）の電源をＯＮにし、無線機１０２（２）の電源をＯＦＦにしたまま、運用を開始する。
【００３１】
以上のようにして、第１のケースによる一連動作が完了することで、無線通信基地局１１が第１の周波数帯で運用を開始した状態になるとともに、管理装置３１は、運用を開始した無線通信基地局１１から取得した周辺基地局リスト情報に基づいて周辺基地局リスト情報を更新するとともに、他の無線通信基地局１２に更新後の周辺基地局リスト情報を送信することができる。
【００３２】
次に、第２のケースとして、無線通信基地局１１と無線通信端末２１の通信開始時の動作について説明する。図６は、本発明の実施の形態１における第２のケースの通信制御動作に関する説明図である。
【００３３】
まず始めに、ステップＳ６０１において、無線通信端末２１は、通信開始のシーケンスにおいて、無線通信端末２１が、無線機２０１と無線機２０２とを有していることを示す端末無線機情報を、無線機情報通知部２０３（１）で作成する。
【００３４】
次に、ステップＳ６０２において、無線通信端末２１は、無線機２０１（１）を介して端末無線機情報を無線通信基地局１１に通知する。次に、ステップＳ６０３において、無線通信基地局１１は、通知された端末無線機情報を、端末情報保持部１０６（１）に保存する。
【００３５】
詳細は省略するが、無線通信端末２２は、同様の手順で無線通信基地局１１と通信を開始しているものとする。また、無線通信端末２３、２４は、同様の手順で無線通信基地局１２と通信を開始しているものとする。
【００３６】
以上のようにして、第２のケースによる一連動作が完了することで、各無線通信基地局１１、１２は、通信を開始した無線通信端末の端末無線機情報を取得することができる。
【００３７】
次に、第３のケースとして、無線通信基地局１１と無線通信端末２１の通信中の動作について説明する。図７は、本発明の実施の形態１における第３のケースの通信制御動作に関する説明図である。
【００３８】
まず始めに、ステップＳ７０１において、無線通信基地局１１は、無線通信端末２１と通信中に、周辺基地局リスト情報に含まれる無線通信基地局（無線通信基地局１１、１２に相当）からの受信電力を測定するように、無線通信端末２１に対して受信電力測定通知を送信する。
【００３９】
次に、ステップＳ７０２において、無線通信端末２１は、受信電力測定通知を受けると、自身が通信している無線通信基地局の受信電力を定期的に測定する。さらに、ステップＳ７０３において、無線通信端末２１は、測定結果を無線品質情報として無線通信基地局１１に報告する。
【００４０】
次に、ステップＳ７０４において、無線通信基地局１１は、無線通信端末２１から受信した無線品質情報を、無線通信端末２１における各無線通信基地局１１、１２の干渉状況を示す情報として、端末情報保持部１０６（１）に保持する。
【００４１】
以上のようにして、第３のケースによる一連動作が完了することで、各無線通信基地局１１、１２は、通信中の無線通信端末から、その無線通信端末における各無線通信基地局との干渉状況を示す無線品質情報を取得することができる。
【００４２】
次に、第４のケースとして、無線通信基地局１１のトラフィック監視部１０７（１）において、トラフィック量が所定の規定値以上となったことを検出したときの動作について説明する。図８は、本発明の実施の形態１における第４のケースの通信制御動作に関する説明図である。
【００４３】
この図８では、無線通信基地局１１において、無線機１０１（１）での通信の干渉が所定閾値より大きい場合に、管理装置３１が、別の無線通信基地局１２の無線通信を、無線機１０１（２）から無線機１０２（２）に切り替えることで、干渉を低減する動作について説明する。
【００４４】
すなわち、無線通信基地局１１は、無線通信を行っている各無線通信端末から取得した端末無線機情報および無線品質情報と、自身が作成した周辺基地局リスト情報とに基づいて、第２の周波数で無線通信する無線機２０２を有する無線通信端末の周辺基地局からの、第１の周波数による無線機２０１での通信の干渉が所定閾値より大きいと判断した場合には、図８の一連処理が行われる。
【００４５】
まず始めに、ステップＳ８０１において、無線通信基地局１１は、無線機１０１（１）での通信の干渉が所定閾値より大きい場合に、管理装置３１に対して、端末情報保持部１０６（１）に保持している端末無線機情報を通知するとともに、第２の周波数による無線機１０２（１）の起動の問合せ（無線通信基地局１１において第２の周波数による無線機１０２（１）を起動すべきか、他の無線通信基地局１２において第２の周波数による無線機１０２（２）を起動すべきかの問合せ）を行う。
【００４６】
次に、ステップＳ８０２において、管理装置３１は、起動の問合せを受信すると、通知された端末無線機情報、および通知データ保存部３０１に保存されている周辺基地局リスト情報に基づいて、無線通信基地局１１の周辺基地局リスト情報に記載されている無線通信基地局のうち、無線通信基地局１１と通信している無線通信端末に最も干渉を与えている無線通信基地局を特定する(ここでは、無線通信基地局１２を特定したと仮定して話を進める)。
【００４７】
次に、ステップＳ８０３において、管理装置３１は、特定した無線通信基地局１２の無線機１０２（２）が起動していない場合には、無線通信基地局１２の端末情報保持部１０６（２）に保持されている端末無線機情報を問合せる。
【００４８】
なお、図８には示していないが、該当基地局（無線通信基地局１２）がすでに無線機１０２を起動している場合には、管理装置３１は、次に無線通信端末に干渉を与えている無線通信基地局に問合せることとする。さらに、すべての周辺基地局が無線機１０２を起動している場合には、管理装置３１は、無線通信基地局１１に対して、無線機１０２（１）の送信電力を下げて運用を行うように通知するとともに、周辺基地局リスト情報に含まれる他の無線通信基地局に対しても、送信電力を下げて運用を行うように通知する。
【００４９】
図８の説明に戻って、ステップＳ８０４において、管理装置３１は、問合せの結果、無線通信基地局１２から端末無線機情報を取得する。次に、ステップＳ８０５において、管理装置３１は、取得した端末無線機情報に基づいて、第２の周波数で無線通信するための無線機２０２を有する端末数が最も多い無線通信基地局を選定する。
【００５０】
ここでは、無線通信基地局１１よりも無線通信基地局１２の方が、第２の周波数で無線通信するための無線機２０２を有する端末数が多く、ステップＳ８０５において無線通信基地局１２が選定されたとして話を進める。
【００５１】
そして、ステップＳ８０６において、管理装置３１は、選定した無線通信基地局１２に対して、無線機１０２（２）の送信電力を最大にして運用を行うように通知する。それとともに、ステップＳ８０７において、無線通信基地局１１に対しては、無線機１０２（１）を起動しないように通知する。
【００５２】
次に、ステップＳ８０８において、無線通信基地局１２は、先のステップＳ８０６により送信電力を通知された後、電源制御部１０４（２）により無線機１０２（２）の電源をＯＮにして、送信電力制御部１０５（２）により送信電力を制御し、無線機１０２（２）の運用を開始する。
【００５３】
さらに、ステップＳ８０９において、無線通信基地局１２は、無線機１０２（２）の運用を開始した後、無線機１０１（１）と通信している無線通信端末を、無線機１０２（２）へとハンドオーバさせることで、無線機１０１（１）の無線トラフィックを低下させ、無線通信基地局１１と通信している無線通信端末との干渉を低減させる。
【００５４】
また、図８には示していないが、無線通信基地局１２は、無線通信基地局１１のトラフィック量が低下した場合、または、自身と通信する無線通信端末が存在しなくなったとき、無線機１０２（２）の運用を停止する。
【００５５】
さらに、図８には示していないが、先のステップＳ８０５の判断において、無線通信基地局１２よりも無線通信基地局１１の方が、第２の周波数で無線通信するための無線機２０２を有する端末数が多く、無線通信基地局１１が選定された場合には、上述したステップＳ８０６、ステップＳ８０８、ステップＳ８０９の各処理が、無線通信基地局１１において行われることとなる。
【００５６】
以上のようにして、第４のケースによる一連動作が完了することで、ある無線通信基地局で第１の周波数でのトラフィックが規定値以上となった場合に、管理装置３１が、最もトラフィックの低減効果があると特定した無線通信基地局を、別の周波数を使用した無線通信に切り換え制御することで、第１の周波数による無線通信のトラフィックを低減させることができる。
【００５７】
次に、第５のケースとして、無線通信基地局１１のトラフィック監視部１０７（１）において、トラフィック量が規定値以上となったことを検出したときの、第４のケースとは異なる動作について説明する。図９は、本発明の実施の形態１における第５のケースの通信制御動作に関する説明図である。
【００５８】
この図９では、無線通信基地局１１において、無線機１０１（１）での通信の干渉が小さい場合（所定閾値以下の場合）に、管理装置３１が、各無線通信基地局における第２の周波数による無線機１０２の送信電力を制御することで、干渉を低減する動作について説明する。
【００５９】
すなわち、無線通信基地局１１は、無線通信を行っている各無線通信端末から取得した端末無線機情報および無線品質情報と、自身が作成した周辺基地局リスト情報とに基づいて、第２の周波数で無線通信する無線機２０２を有する無線通信端末の周辺基地局からの、第１の周波数による無線機２０１での通信の干渉が小さい（所定閾値以下である）と判断した場合には、図９の一連処理が行われる。
【００６０】
まず始めに、ステップＳ９０１において、無線通信基地局１１は、管理装置３１に、無線機１０２（１）の起動通知（無線通信基地局１１において第２の周波数による無線機１０２（１）を起動する許可を得るための通知）を行う。次に、ステップＳ９０２において、管理装置３１は、起動通知を受信すると、無線通信基地局１１の周辺基地局リスト情報に記載されている無線通信基地局（無線通信基地局１２に相当）が、無線機１０２を起動しているか否かを確認する。
【００６１】
そして、管理装置３１は、無線機１０２を起動している周辺基地局が存在していないと判断した場合には、ステップＳ９０３において、無線通信基地局１１に対して、無線機１０２（１）の送信電力を最大にして運用を行うように通知する。
【００６２】
一方、管理装置３１は、無線機１０２を起動している周辺基地局が存在すると判断した場合には、ステップＳ９０４において、無線通信基地局１１に対して、無線機１０２（１）の送信電力を下げて運用を行うように通知する。さらに、管理装置３１は、ステップＳ９０５において、周辺基地局リスト情報に含まれている他の無線通信基地局（無線通信基地局１２に相当）に対しても、送信電力を下げて運用を行うように通知する。
【００６３】
一方、ステップＳ９０６において、無線通信基地局１１は、先のステップＳ９０３またはステップＳ９０４において送信電力を通知された後、電源制御部１０４（１）により無線機１０２（１）の電源をＯＮにして、送信電力制御部１０５（１）により送信電力を制御し、無線機１０２（１）の運用を開始する。
【００６４】
以上のようにして、第５のケースによる一連動作が完了することで、管理装置３１は、周辺基地局の無線機の使用状況に応じて、第２の周波数を用いた無線通信を行う各無線通信基地局の送信電力を制御することで、システム全体として、干渉を低減させることができる。
【００６５】
以上のように、実施の形態１によれば、無線通信基地局の第１の周波数帯でのトラフィックが増加したときに、干渉状況に応じて、停止していた第２の周波数帯での無線通信を開始させることでトラフィック低減を実現できる無線通信基地局を選定して運用を開始させることができる。これにより、定常時には運用を停止していることで消費電力の削減効果が期待できる。さらに、必要なときに周辺基地局の第２の周波数の無線機の運用状況により送信電力を制御することで、第２の周波数の無線機の運用を開始したときの干渉を低減することができる。
【符号の説明】
【００６６】
１１、１２  無線通信基地局、２１〜２４  無線通信端末、３１  管理装置、１０１、１０２  無線機、１０３  周辺基地局検出部、１０４  電源制御部（制御部）、１０５  送信電力制御部（制御部）、１０６  端末情報保持部、１０７  トラフィック監視部、１０８  通知データ作成部、１０９  有線インターフェース部、２０１、２０２  無線機、２０３  無線機情報通知部、３０１  通知データ保存部、３０２  通知データ解析部、３０３  制御データ作成部、３０４  有線インターフェース部。
【図１】
0005858840.tif 000002
【図２】
0005858840.tif 000003
【図３】
0005858840.tif 000004
【図４】
0005858840.tif 000005
【図５】
0005858840.tif 000006
【図６】
0005858840.tif 000007
【図７】
0005858840.tif 000008
【図８】
0005858840.tif 000009
【図９】
0005858840.tif 000010